(57)【特許請求の範囲】
【請求項１】
機能素子および複数の機能素子をそれぞれ制御するアプリケーション処理素子を有する通信システムを動作または制御する方法において、
インターフェイス素子に対してアプリケーション処理素子により送られた命令を伝送し、機能素子を制御するのに適した命令へ前記命令を変換し、アプリケーション処理素子により送られた命令が機能素子のタイプまたは構造とは無関係であり、
機能素子は伝送リンクの間にブリッジを形成する能力を含み、アプリケーション処理素子はこのような伝送ブリッジの生成および解除を制御する方法。
【請求項２】
処理は、１つのネットワークの端部から別のものへの利用者端末のハンドオーバ動作の一部分としてブリッジ接続の構成を含んでいる請求項１記載の方法。
【請求項３】
処理は、適切な機能装置によるマルチキャスティング機能の設定を含んでいる請求項１または２記載の方法。
【請求項４】
処理は、ノードに到達した複数のデータ流を結合して１つの出て行くデータ流にするように機能素子を制御する請求項１、２または３記載の方法。
【請求項５】
処理は、入って来るデータ流の同期を制御する請求項４記載の方法。
【請求項６】
処理は、１つのネットワーク端部から別のものへの利用者端末のハンドオーバを制御するための、測定データの処理を含む、請求項１乃至５のいずれか１項記載の方法。
【請求項７】
複数の機能素子および機能素子を制御するか、またはそれによって制御される１以上のアプリケーション処理素子を含んでいる通信システムにおいて、
１個のアプリケーション処理素子と複数の機能素子との間をインターフェイスする中間処理素子が設けられており、アプリケーション処理素子が、機能素子の構造またはタイプに特定しない形態で命令を発生するように構成されており、中間処理素子が機能素子に命令を伝送することによってアプリケーション処理素子により発生された命令を実行するように構成され、
機能素子は、システムの伝送リンク間にブリッジを形成する手段を含んでいることを特徴とする通信システム。
【請求項８】
機能素子は、システムの伝送リンクによって伝送されたデータ流をマルチキャスティングする手段および結合する手段の少なくとも一方を含んでいる請求項７記載の通信システム。
【請求項９】
１つのネットワーク端部から別のものへの移動体端末のハンドオーバを制御するアプリケーション処理素子を有している請求項７または８記載の通信システム。
【請求項１０】
会議ブリッジの設定を制御するアプリケーション処理素子を有している請求項７乃至９のいずれか１項記載の通信システム。
【請求項１１】
システムの通信路によるダイバーシティ経路設定を制御するアプリケーション処理素子を有している請求項７乃至10のいずれか１項記載の通信システム。
【発明の詳細な説明】
本発明は、通信システムの動作、監視および制御に関する。特に、本発明は通信ネットワークの動作に関するが、このようなシステムに限定されるものではない。
この明細書において、“機能素子”という用語は、高レベルの機能を行ない、通常複数の素子の調和した動作を必要とするために多数の“機能素子”を制御する。“アプリケーション処理素子”とは異なる、システム自身に対して例えばスイッチングまたは監視機能等のある機能を実行する通信システムの素子を限定するために使用されている。この高レベルの機能は、移動無線システムにおけるハンドオーバプロセス等のネットワークアプリケーションであってもよい。
通信ネットワークにおいて、システムの機能素子は広範囲にわたって分配されている。例えば、スイッチング機能はシステム中のノードで要求される。しかしながら、通常の通信ネットワークではアプリケーション処理制御は集中化され、大きい信号負荷が通信ネットワークにわたって伝送されることを必要とする。システムの分配特性にもかかわらず、ネットワークの相互作用する全ての素子は、適合可能な信号フォーマットを有していなければならない。これは、異なる多数の製造業者により製造された移動装置がシステムにおけるどの場所でも見出されることが可能であり、それらが偶発的に通信を開始したネットワークの固定したどの部分とでも適合的に相互作用することが必要とされるセル無線ネットワークにおいて特に問題である。このようなネットワークにおいて、全ての信号フォーマットが適合可能な状態を維持する必要があるため、向上または改良のためにアレンジすることは困難である。別の問題は、例えば形成されるべきリンク特性等のネットワーク状態および制御局に送信される結果を、行われる測定の性質およびそれらが必要とされる目的に応じて連続的にまたは非連続的に測定する必要があるために既知のシステムにおいて発生する。これは、付加的な信号オーバーヘッドをネットワークに課す。多数の測定は、特定の動作環境でのみ頻繁に要求される。したがって、可能性のある全データが、そのうちの多くが冗長である場合に送信されることは信号容量が無駄である。信号容量が制限され、行われる測定の回数が異なることもまた測定の分解能を減少させ、および、またはサポートされることができるサンプリング速度を低下させる。
通常のシステムの容量に対する別の制限は、制限された経路設定能力によって生じる。特に、非常に高い帯域幅またはデータ速度を必要とする呼が要求された場合、このような容量を許容するネットワークを通って利用可能な単一の経路は存在しない。これは、特定のリンク上にさらに大きい容量を提供するために進行中に中断せずに呼を再度経路設定することができる場合でも存在しない。これらの環境において、システム全体は十分な容量を有しているが、高い帯域幅を必要とする呼は失敗するか、または既になされた別の低い優先度の呼を失敗させる。既存の通信システムでは、通常ポイントからポイントまでの単一リンクだけが可能である。リンクが信頼できないものである場合には、エラーチェックプロセスが使用されてもよいが、これらには、エラーチェックを行なうために付加的なデータが必要である。移動装置では、最も良い品質の信号を有するものを識別するために１以上のベースステーションを同時に監視することが知られている。しかしながら、通常のスイッチングネットワークでは呼のスイッチングおよび制御は分割できないため、呼は単一の経路だけを介して処理される。
別の制御集中化の例は、通信ネットワークにおける“会議”装置の設置である。会議ブリッジ設定において、ブリッジ設定はブリッジ設定の要求を行なった利用者の制御の下で行われ、２以上の利用者が同時に通信することを可能にする。これには、既存のリンクが新しいものに対してブリッジ設定され、第３の呼出し手が他の２者と通信することを可能にすることが必要である。
図10に示されているような従来技術のシステムにおいて、ブリッジ設定は主スイッチング局40においてのみ可能であり、これらのブリッジは固定した容量のものである。図10は、相互に“会議呼出し”を形成するように構成された３個の端末装置38a、38b、38cを示す。装置38a、38bの両者はノード37に接続されるが、これはブリッジ設定能力を持たない。ノード37および装置38cの両者は、ブリッジ設定能力を有する主スイッチング局40に接続される。これは、装置38a、38bの両者が同じノード37を通って利用者38cと通信しており、ブリッジがそれらの間に形成されることを必要とするが、各装置38a、38bは移動体スイッチング局40までそれ自身の伝送手段39a、39bを具備していなければならないことを意味する。ブリッジ設定がベースステーション37で行われることができた場合、伝送手段39a、39bの１つは別の目的のために解除される。図11を参照すると、ブリッジが行われるスイッチング局32において、制御プロセスはスイッチング局32に入って来た各メッセージａ、ｂ、ｃが１人の呼出し手Ａ、ＢまたはＣから他の呼出し手の全てに送られることを確実にする。
本発明の第１の観点によると、機能素子および複数の機能素子をそれぞれ制御するアプリケーション処理素子を有する通信システムを動作または制御する方法が提供され、この方法は、インターフェイス素子に対してアプリケーション処理素子による命令を伝送し、機能素子を制御するのに適した命令へ前記命令を変換し、アプリケーション処理素子により伝送された命令が機能素子のタイプまたは構造とは無関係である。
本発明の第２の観点によると、複数の機能素子および機能素子を制御するか、またはそれによって制御される１以上のアプリケーション処理素子を具備する通信システムが提供され、それは１個のアプリケーション処理素子と複数の機能素子との間をインターフェイスする中間処理素子が設けられており、アプリケーション処理素子が、機能素子の構造またはタイプに特定しない形態で命令を発生するように構成されており、中間処理素子が、機能素子に命令を伝送することによってアプリケーション処理素子により発生された命令を実行するように構成されていることを特徴とする。
本発明の第３の観点によると、システムの１以上のアプリケーション処理素子の制御下にある、またはそれらによって制御されるシステムの多数の機能素子を制御する通信システム用中間処理装置が提供され、それは、機能素子の構造またはタイプに特定しない形態でアプリケーション処理素子から命令を受信する外部インターフェイスモジュールと、そのように受信した命令を実行して、命令の実行を要求された機能素子にそれらを伝送する命令および受信モジュールと、機能素子とアプリケーション処理素子との間で伝送されるデータを処理する処理モジュールとを含んでいる。
本発明は、ネットワーク中の“インテリジェンス”がその機能から物理的に分離されることを可能にする。したがって、これによって特にスイッチング用の機能がネットワークにおける、主アプリケーション素子より多くの位置で利用できるようにすることができる。
本発明の第１の観点による好ましい方法において、監視および制御プロセスは、システム全体における適切なポイントに位置された機能素子によって動作される。これらの素子が位置されるポイントは、実行されることを要求される特定の機能に依存する。例えば、セル無線ネットワークにおいて、信号品質の測定が個々のベースステーションにおいて行われるが、ハンドオーバおよびマルチキャスティングはスイッチングポイントにおいて経路設定することが要求される。これらの各機能装置は、装置の個々の位置の環境に適合するように構成されている。例えばブリッジ設定素子は、関連したスイッチング局で利用できる可能のあるリンクの個数にしたがって構成される。
専用の信号リンクが中間処理装置とシステムの付近に分配された機能素子との間に設けられてもよい。制御されているシステムが通信ネットワークである場合、信号はネットワークのトラフィック伝送リンクによって伝送されてもよい。中間処理素子は、伝送ネットワークのノードに位置される必要はない。通信ネットワークの例を使用すると、それらはネットワーク中の任意のポイントに位置されることが可能であり、異なる機能に対して異なるポイントに配置されてもよい。
以下、例示および添付された図面を参照して本発明の実施例を説明する。
図１は、本発明の第１の実施例によるシステムの機能図である。
図２は、図１のシステムの機能を含むネットワークアーキテクチャの概略図である。
図３は、本発明の第２の実施例による移動無線ネットワークを概略的に示す。
図４は、機能的な関係で図３のネットワークを示す。
図５は、本発明の第３の実施例によるネットワークの位相図である。
図６は、機能的な関係で図５のネットワークを示す。
図７は、図５のトポロジーおよび図６の機能的観点を具体化した移動無線ネットワークを概略的に示す。
図８は、本発明の第４の実施例によるシステムを機能的な関係で示す。
図９は、図８の実施例によるネットワークを概略的に示す。
図10は、主スイッチング局だけにブリッジ設定能力を有する従来技術のセル無線ネットワークを示す。
図11は、図10を参照して説明された従来技術の３方向会議ブリッジにおいて必要とされる接続のトポロジーを概略的に示す。
図12、13、14は、ハンドオーバ制御プロセスと関連して図３および４の実施形態内で発生するデータ流を示したフローチャートである。
図15、16、17は、図６および７の実施形態によって制御されることのできるダイバーシティ制御システムにおいて可能な３つの切換えを示す。
図18、19、20は、図15、16および17のシステムを制御するために図６および７の実施形態内で発生するデータ流を示したフローチャートである。
本発明の第１の実施例において、図面を参照すると、図１に機能的な関係で示された通信システムは、アプリケーション処理素子Ｃとネットワーク動作機能（NOF）Ｂの形態の機能素子を接続する中間処理機能Ａを含む通信ネットワークを具備している。中間処理機能Ａは、外部インターフェイスモジュール51、処理モジュール52、命令および受信モジュール53の３個の機能モジュールを有する。
動作において、中間処理機能Ａは、NOFとアプリケーション処理素子Ｃとの間で両方向にデータを中継する。アプリケーション処理素子Ｃはネットワークサービスまたはサービス素子であってよく、データは例えばアプリケーション処理素子ＣからNOF  Ｂに送られるメッセージ、或はNOF  Ｂからアプリケーション処理素子Ｃに送られる測定値または状態データを制御することができる。
中間処理機能Ａは、３つの機能を実行する。命令および受信モジュール53は、機能素子を動作する個々のネットワークに命令およびデータを送り、それからデータを受信する。外部インターフェイスモジュール51は、アプリケーション処理素子Ｃとインターフェイスしているる。これら２のモジュール51、53は、例えば（ａ）アプリケーション処理素子Ｃからの命令をNOF  Ｂ用の個々の命令に変換し、および、または（ｂ）NOF  Ｂから受信したデータをアプリケーション処理素子Ｃに適したデータフォーマットに変換する処理モジュール52によってリンクされる。
図１は簡単化のために単一のアプリケーション処理素子Ｃに対して図示されているが、以下の本発明のその他種々の実施例の説明から理解されるように、個別または共通の処理装置によって個別または共通のNOF  Ｂと接続された複数のアプリケーション処理素子が存在していてもよい。
中間処理機能Ａにおいて、外部インターフェイスモジュール51は、アプリケーション処理素子（以下、アプリケーションプラットフォーム）Ｃに共通のインターフェイスを提供する。このインターフェイスは、処理モジュール52がネットワーク動作機能Ｂへのインターフェイスと無関係に実行することができる１組の利用可能な命令をアプリケーションプラットフォームＣに提供する。
処理モジュール52はアプリケーション情報データを個々のNOFに対する特有の情報に変換し、および、またはNOF情報をアプリケーションプラットフォームＣに適した形態に変換する。
命令および受信（IR）モジュール53はNOF  Ｂと通信し、ネットワークにおける異なるNOF装置への異なるインターフェイスを有していてもよい。IRモジュール53は、処理モジュール52によって使用されるプリミティブとNOF  Ｂによって使用される情報メッセージフォーマットとの間で変換を行なう。
上記の変換の代りとして、或はそれに加えて、処理モジュール52はまたアプリケーションプラットフォームＣによって特定された付加的な処理を行なうことができる。NOF  Ｂは、例えば内蔵されたソフトウェア等のネットワークと関連した機能の形態を取ってもよいし、或はそれらは例えば監視素子またはネットワーク制御機能等のディスクリートな素子、装置またはモジュールであってもよい。
同様に、アプリケーションプラットフォームＣは、ネットワークの中に、例えばサービス制御ポイントに内臓された機能でもよいし、或はそれは独立したアプリケーションプラットフォームに含まれてもよい。
図２は、図１の一般化されたシステムがネットワークアーキテクチャに対してどのようにしてマップされることができるかを示す。機能的な関係において、素子A1,A2はアプリケーション処理制御機能を表わし、素子B1,B2はネットワーク動作機能を表わす。“1"で機能表記された例えばA1、B1は、サービス制御がスイッチングネットワークから分離され、信号が分離したリンク（63,64,65）で伝送されるインテリジェントネットワーク素子を表す。“2"で機能表記されたもの（例えばA2、B2）は、論理リンク（69、70,71）を提供するために信号情報を伝送するスイッチングネットワークに全ての機能が含まれている素子を表わす。図２から認められるように、プロセス制御およびネットワーク動作機能の両者は、ネットワーク中の可能性のあるいずれのノードに配置されることができる。これらのノード（72乃至78）は、例えばサービス制御ポイント、ネットワーク管理局、スイッチ等であってもよい。留意すべき重要な観点は、
（ｉ）プロセス制御機能は、ネットワークにおける特定のノード（72,78）に配置される。
（ii）第２に、特定のアプリケーションに対するプロセス制御機能は、同じものの異なるアプリケーションまたは使用（特に、ベースステーションが異なる位置にある場合）を除いて、例えばノード72におけるプロセス制御A1のように特定のネットワークノードに固定され、アプリケーションは異なるネットワークノードに配置されることができる（例えばノード78におけるプロセス制御A2）。
（iii）ネットワーク動作機能B1、B2は、スイッチングネットワークノード73乃至77に配置され、実時間ダイナミック方法で必要とされた場合にプロセス制御機能によって付勢される。これらの機能は、支持ネットワークと緊密に関連している。
（iv）特定のネットワークノードにおけるプロセス制御機能A1の特定の使用は、別のプロセス制御機能A2の制御下にある別のまたは同じネットワーク動作機能B2もまた存在している場合、ネットワークノード75でネットワーク動作機能B1を制御することができる。
図３および４に示された本発明の第２の実施例は、システム中の伝送リンクの品質に関するデータを収集して処理する手段を有する通信システムである。第２の実施例において、システムは移動無線通信ネットワークである。この特定の実施例において収集されたデータは、移動無線ネットワークのハンドオーバプロセスで使用される。
図３は、セル無線ネットワークの例で示した移動無線ネットワークの簡単化された図を示しており、移動装置１と、各伝送リンク3a、3b、3c、3dの品質を監視する測定装置4a、4b、4c、4dをそれぞれ有する３個のベースステーション2a、2b、2cを含む。ベースステーション2bの場合、伝送リンク3b、3dは、現在動作しており、トラフィックを伝送する移動装置１との実際的なリンクである。他の２個のベースステーション2a、2cは、ベースステーション2bからの移動装置１のハンドオーバを行なう潜在的候補ベースステーションであり、各リンク3a、3cは現在移動装置１にトラフィックを伝送していない。
ベースステーション2a乃至2cは、全てベース位置制御装置６および移動体スイッチング局７を通ってネットワークの別の部分に接続されている。
各ベースステーション2a、2b、2cは、例えばセルの異なる区域をカバーするために同じ位置に配置されてもよく、ベース位置制御位置６はまたそれらと同じ位置に配置されてもよい。種々のベースステーション2a、2b、2cおよび移動装置１における測定装置4a、4b、4c、4dは同じである必要はなく、（特にべースステーションが異なる位置にある場合には）、各装置から受取られた生のデータは形態が異なっていてもよい。特に、最新の移動ネットワークは種々の製造業者によって製造された移動装置をサポートすることができなければならない。測定の方法は異なっているかもしれないが、ビットエラー率（BER）、C/I、受信パワーレベルまたはビット率等の測定されるべき特性は各装置に対して類似している。
プロセス制御装置５はベース位置制御装置６中に配置され、各測定装置4a乃至4dと通信している。必要な信号は、伝送リンク3a、3b、3c、3dによって伝送され、これらのリンク3a乃至3dはまたリンクが設定された通信トラフィックを伝送する。プロセス制御装置５は、測定装置4a、4b、4c、4dに対して、BER、C/I、受信パワーレベルまたはビット率等のリンク特性の測定を行なうように命令する。これらの装置はデータを連続的に収集してもよく、或はプロセス制御装置５からの信号に応答してのみ収集を行なってもよい。
移動装置１において装置4dによって収集されたデータは、ベースステーション2bの１つを通って伝送されることが認められるであろう。しかしながら、ベースステーション2bは、このデータを全く処理せず、ベース位置制御装置６に配置されたプロセス制御装置５にそれを送る。このようにして、直接的な論理リンク8dが測定装置4dとプロセス制御装置５との間に設けられ、論理リンク8a、8b、8cもまた測定装置4a、4b、4cとプロセス制御装置５との間に設けられる。ベースステーション2b自身もまた測定装置4bによってベースステーション2bにおいて収集されたデータを送る。プロセス制御装置５は、移動体スイッチング局７またはベース位置制御装置６において例えばハンドオーバ制御機能等のアプリケーション機能Ｃ′に接続され、データをアプリケーション機能に提供する。
測定装置4a、4b、4c、4dは、処理装置５から受信された命令にしたがって異なる測定を行なうように構成されることができる。このような変化は、例えば伝送手段によって伝送されている例えば音声等の信号またはデータのタイプ等の支配的条件に応じて、或は例えば時刻／曜日等のネットワーク中の他の箇所での支配的条件に応答してダイナミックに行われることができる。
測定されるべきパラメータ（例えばビットエラー率、C/I、Ｒ信号Ｉ）は、伝送手段（例えばアナログ／デジタル、異なるビット率等）によって伝送される信号のタイプに応じて選択されることができる。
測定プロセス制御装置５はベース位置制御装置６中に配置されているため、測定収集制御はネットワークにおいてできるだけ低いレベルで行われ、一方ベースステーション2a乃至2c自身における処理パワーを最小にする。局所化されたレベルでプロセス制御装置５を配置することによって、データはこのレベルで圧縮されて選択され、それによってネットワークの別の部分との間の信号量を減少することができる。
さらに、例えばベース位置制御装置６が３個のベースステーション2a乃至2cのどれが移動装置１からの最も強い信号を有しているかを識別するのに十分な処理を行なう場合、ハンドオーバが行われるか否かを決定する決定実行装置（典型的に移動体スイッチング局７に配置された）に対してこのことが送られるだけでよい。事実、ハンドオーバが同じベース位置制御装置（BSC）６によって処理されたベースステーションの間で発生している場合、移動体スイッチング局（MSC）７は全く関与しなくてもよい。
監視装置4a乃至4dは、ネットワークにおいて伝送リンク品質情報の収集を行なう。この装置は、限定された機能を有するだけでよい。その機能は、特定の物理的なリンクを監視して、測定プロセス制御装置５に測定値を報告するだけでよい。
以下、機能的な関係でシステムを示す図４を参照して図３のシステムの動作をさらに説明する。特定の測定機能Ｂ′は測定素子4a乃至4dに対応し、プロセッサ機能Ａ′はプロセス制御装置５に対応し、アプリケーション機能Ｃ′は、例えばBSC6および、またはMSC7におけるハンドオーバ機能に対応する。
プロセッサ機能Ａ′は、図４に示されているように命令および受信モジュール10、処理モジュール11、外部インターフェイスモジュール12の３個のモジュールを有する。命令および受信モジュール10は、測定機能Ｂ′と直接的に通信している。このモジュールは、測定機能Ｂ′から測定データを受取り、それらが入って来た時にデータ流を認識して、標準方式のフォーマットにそれらを変換するように構成されている。反対に、それはまた処理モジュール11から信号を受信して、個々の測定機能Ｂ′によって認識可能な命令信号にそれらを変換する。命令および受信モジュール10は、それが接続された各測定機能に専用にされ、それと適合するように構成された機能素子を有する。各測定機能Ｂ′に必要とされる命令および受信モジュール10の機能素子は、例えばソフトウェアで一緒に配置されてもよい。異なる機能素子が共通のハードウェアに内蔵されていてもよく、例えば各測定装置4a乃至4dが時分割を使用して処理制御装置５によって順次投票された場合、プロセス制御装置５に内蔵された命令および受信機能は処理モジュール11の標準方式の処理と測定機能Ｂ′により要求されたフォーマットとの間で順次変換を行なわなければならない。これには、命令および受信モジュール10が個々の測定機能Ｂ′により使用されるメッセージフォーマット用の各時間スロットで構成される必要がある。したがって、“素子”という用語には、命令および受信モジュールが構成されることのできる任意の機能または機能の組合わせが含まれることを理解しなければならず、また対応的に素子、モジュールおよび装置の物理的な形態は、任意の手段によって共有される部分を有する、または有しないものであることができる。
処理モジュール11は、外部インターフェイスモジュール12（以下、説明される）からの制御信号を処理し、また命令および受信モジュール10から標準化されたフォーマットで受取られた測定パラメータを処理する。処理モジュール11は、命令および受信モジュール10により測定機能Ｂ′を制御し、また要求される全ての制御動作を実行する。外部インターフェイスモジュール12を介して受取られたアプリケーション機能Ｃ′からのデータに対する要求に応答して、処理モジュール11は命令および受信モジュール10に命令を送って、個々の測定機能Ｂ′からデータを収集する。これらの命令は、命令および受信モジュール10によって測定機能Ｂ′により要求されるフォーマットに変換される。測定値が命令および受信モジュール10で受取られ、モジュールによって共通の処理フォーマットに変換されると、処理モジュール11は、フォーマット化および、または例えば所定の期間にわたる平均化または測定機能Ｂ′から受取られた１以上のパラメータの数字的関数等の他の処理を実行する。特定の例として、プロセッサＡ′は、データが要求された（３個の）候補ベースステーション（4a乃至4c）と関連した測定機能Ｂ′によって測定された信号強度を比較して、外部インターフェイス12を介してハンドオーバアプリケーションＣ′に信号を戻し、最も強い信号を有するベースステーション4bの識別子を提供してもよい。この例において、信号の絶対値は外部インターフェイスモジュール12を介してアプリケーション機能Ｃ′に送られない。
外部インターフェイス12は、アプリケーション機能Ｃ′との間でデータ信号を伝送する。ハンドオーバ決定の場合、このアプリケーション機能Ｃ′はハンドオーバを行なうことのできるネットワーク制御機能である。機能自身は、標準方式の形態で外部インターフェイスモジュール12を介して信号を伝送し、開始または停止信号、或はデータに対する要求を測定機能Ｂ′に送るように処理モジュール11に命令する。ネットワーク制御機能Ｃ′はまた処理装置Ａ′によって測定機能Ｂ′からデータを受取る。
連続した期間中に測定が行なわれてもよく、或は単一の瞬間的な測定値が要求されてもよい。アプリケーション機能Ｃ′から処理制御機能Ａ′に送られる命令は、明らかにこれら２つの場合と異なる。同様にして、要求された結果が例えば時間平均である場合、処理制御モジュール11は処理および記憶を行なって、時間平均された結果が測定制御アプリケーション機能Ｃ′に周期的に伝送される。これらの状況において、処理制御モジュール11は機能的にデータを記憶するためのデータバッファを含み、一方これらの時間平均、傾向等が計算される。
ネットワークは、それ自身の測定機能および物理的形態をそれぞれ備えた多数の異なる設計のスイッチおよび移動装置を含んでいてもよい。測定制御機能Ａ′は、１つのネットワーク管理測定アプリケーション機能Ｃ′とこれらの測定システムをインテリジェントにインターフェイスする方法を提供する。予備処理は処理機能Ａ′において行なわれ、測定データの処理の結果は、ハンドオーバ決定が行われることができるようにハンドオーバアプリケーション機能Ｃ′に送られた。処理機能Ａ′の物理的な形態がベースステーション2a乃至2cに配置された場合、伝送リンク3a乃至3cによって伝送されたデータの品質は低下する。
測定制御機能は、ハンドオーバ以外の目的に使用されてもよい。例えば、故障監視、将来的なトラフィック計画のための統計的解析、請求書作成等のために測定値が要求されてもよい。外部インターフェイス12は、任意のこのようなアプリケーションプラットフォームからの信号に応答するように構成されている。
異なる測定機能Ｂ′は、異なる測定を行なうことができる。このような相違はネットワークアプリケーションを使用するための共通のデータ標準方式を適用するために処理装置Ａ′の命令および受信モジュール10によって処理される。
この実施例の１つの形態において、個々の測定機能Ｂ′は非常に限定された機能を有している。それらは一定に動作して、システムの特性を監視する。処理制御機能Ａ′からの要求時に、データの現在の値は処理制御機能Ａ′に戻されて報告される。どのデータがアプリケーション機能Ｃ′に送られるのかについての決定は、アプリケーション機能Ｃ′からの命令に応答して動作する処理制御機能Ａ′によってなされる。
図12、13および14は、図３および４のシステム内において生じたデータの流れを示したフローチャートである。この例において、高レベルアプリケーション（Ｃ′）はハンドオーバ制御である。
外部アプリケーションＣ′に対して、“測定要求”および“測定応答”の２つのメッセージフォーマットが利用可能である。
（１）“測定要求”
このメッセージは、ハンドオーバ制御Ｃ′から外部インターフェイス12に送られ、
測定されるパラメータ（この場合は、ビットエラー率BER）と、
測定に適用されるアルゴリズム（パラメータの平均値を出し、その値を変化させるALGA、またはパラメータがもとの値の50％より下に降下した時に、測定されたパラメータの平均値を出すALGBのいずれか）と、
報告方法（RR＝一定期間毎に規則的な報告、或はアルゴリズムが結果を出した時、応答する要求を示したゼロ値）と、
適用可能ならば、測定報告の間の時間（TIME）とを特定するフィールドを有する。
（２）“測定応答”
このメッセージは、外部インターフェイス12からハンドオーバ制御Ｃ′に送られ、要求メッセージで特定された形態で処理ブロックにおける測定アルゴリズムからの結果的パラメータを含んでいる。応答メッセージは、要求メッセージの内容に応じて時間間隔で送られる。
図12は、要求された時にのみ遠隔地測定機能が測定値を送信する規則的な間隔で測定報告をする図３および４の実施例の動作を示す。したがって、プロセス制御装置５は、データに対する周期的な要求を測定機能４に送ることによって周期的なデータに対するハンドオーバ制御Ｃ′からの単一の要求に応答しなければならない。
制御アプリケーションＣ′はこの場合ハンドオーバ制御アプリケーションであり、ビットエラー率（BER）が測定されることを要求する測定要求101を送る。アルゴリズムＡが使用され、この場合規則的な報告はがメッセージの間のTIMEの時間間隔で処理モジュール11から送られる。処理モジュール11は、外部インターフェイスモジュール12からのプリミティブ102によってどのプロセスを実行しなければならないかを通知される。処理モジュール11は要求されたアルゴリズムを動作して、測定情報の収集を開始し、準備ができた時に予備処理された情報103aを外部インターフェイス12に送り返し、外部インターフェイス12が要求制御アプリケーションＣ′に情報104aを送る。処理モジュール11が測定機能４からの情報を要求した場合、それは測定されることを要求されているものに関する情報を含む報告プリミティブ105、105aを命令および受信モジュール10に与える。その後、命令および受信モジュール10は、遠隔地測定機能４によって認識されるフォーマットで報告要求メッセージ106を送る。この場合、測定機能４は“オン”または“オフ”だけであると仮定し、BERだけを測定して、報告応答メッセージ107でそれを直ぐに戻すため、フォーマットは非常に簡単である。命令および受信モジュール10がこのメッセージを受取った時、モジュールは、標準方式のフォーマットで測定されたパラメータを伝送する処理モジュール11に応答プリミティブ108を与える。さらに、処理モジュール11は報告要求プリミティブ105a等を出力し、それは同様にして応答される（106a,107a,108a）。その後、処理モジュール11はそのデータに関してアルゴリズムＡを実行し、時間TIMEが経過した後、測定応答プリミティブ103aを外部インターフェイス12に送る。外部インターフェイス12は、標準方式のフォーマットで測定プロセスの結果（この場合はBERおよびBERの変化（CBER））をアプリケーションＣ′（この場合、ハンドオーバ制御）に送り返す。処理モジュール11は測定プロセス105b/c、106b/c、107b/c、108b/c、103bを連続的に実行し、それはそうでなれば外部インターフェイスモジュール12によって受取られるブランク測定要求109に関するプリミティブ110の受取りにより命令されるまで行われる。
図13は、測定されたパラメータが50％変化した場合にのみ測定報告を生成する図３および４の実施例の動作を示す。これは、例えばハンドオーバプロセスを開始するようにトリガーするのに有効である。第１の例のように、遠隔地測定機能４は、要求された場合にのみ測定値を送信する。これは、同じ測定機能４が異なる要求を有するアプリケーション処理機能Ｃ′をどのようにして満足させることができるかを示す。
ハンドオーバ制御アプリケーションＣ′は、受信された信号レベル（RXLEV）が測定され、アルゴリズムＢが使用されることを要求するメッセージ201を送る。RRパラメータの不存在によって示されるように、規則的な報告は処理モジュールから送られることを要求されない。
処理モジュール11は、外部インターフェイスモジュール12からのプリミティブ202によってどのプロセスを実行しなければならないかを通知される。処理モジュール11は要求されたアルゴリズムを動作して、測定情報の収集を開始し、準備ができた時に予備処理された情報203、204を要求している制御アプリケーションに送り返す。処理モジュール11が測定機能４からの情報を要求した場合、それは測定されることを要求されているものに関する情報を含む報告プリミティブ205、205a、205b、205cを命令および受信モジュール10に与える。それに応答して、命令および受信モジュール10は、遠隔地測定機能４によって認識されるフォーマットで報告要求メッセージ106、106a、106b、106cを送る。この場合、測定機能４は“オン”または“オフ”だけであると仮定し、BERだけを測定して、報告応答メッセージ107、107a、107b、107cの設定間隔でそれを戻すため、やはりフォーマットは比較的簡単である。命令および受信モジュール10がこれらのメッセージを受取った時、モジュールは標準方式のフォーマットで測定されたパラメータを伝送する処理モジュール11にRESPプリミティブ208、208a、208b、208cを与える。処理モジュール11はデータに関してアルゴリズムＢを実行し、測定されたパラメータの値が50％以上変化した時に、処理モジュール11は測定応答プリミティブ203を外部インターフェイス12に送る。外部インターフェイスモジュール12は、標準方式のフォーマット（この場合RXLEV）204で測定プロセスの結果を呼を行なっているアプリケーションＣ′（この場合、ハンドオーバ制御）に戻す。
しかしながら、異なる測定要求を有するハンドオーバ制御Ｃ′（図５および６）は、同じ測定機能４とインターフェイスできることが認められるであろう。
図14は、遠隔地測定機能が規則的な間隔で測定値を送った時に測定報告する図３および４の実施例の動作を示す。
図12との比較により、異なる測定機能４、4aが同じアプリケーション処理機能を満足させるためにどのようにして使用されることができるかが示される。
図12の実施例のように、ハンドオーバ制御アプリケーションＣ′は、アルゴリズムＡを使用してビットエラー率（BER）が測定されることを要求する要求101を送り、規則的な報告がメッセージの間のTIMEの時間間隔で処理モジュールから送られる。処理モジュール11は、外部インターフェイスモジュール12からのプリミティブ102によってどのプロセスを実行しなければならないかを通知される。その後、処理モジュール11は要求されたアルゴリズムＡを動作して測定情報の収集を開始し、準備ができた時に予備処理された情報を要求された制御アプリケーション103a、104a、103b、104bに送り返す。処理モジュール11が測定機能4aからの情報を要求した場合、それは測定されることを要求されているものに関する情報を含む報告プリミティブ305を命令および受信モジュール10に与える。その後、命令および受信モジュール10は、遠隔地測定機能4aによって認識されるフォーマットで報告要求メッセージ306を送る。この場合、測定機能は“オン”または“オフ”だけであると仮定し、BERだけを測定して、報告応答メッセージ307、307a乃至307gの設定間隔でそれを戻す（これはこの例と図12のものとの違いであり、また異なる測定機能４、4aがハンドオーバ制御Ｃ′からの同じ測定要求101を使用して同じフォーマット104a、104bでデータを戻す作業を実行するために使用できることを示すように機能する）ため、やはりフォーマットは比較的簡単である。命令および受信モジュール10がメッセージ307を受取った時、このモジュールは標準方式のフォーマットで測定されたパラメータを伝送する処理モジュール11に応答プリミティブ308を与える。処理モジュール11はデータに関してアルゴリズムＡを実行し、時間TIMEが経過した後、測定応答プリミティブ103a、103bを外部インターフェイス12に送る。外部インターフェイスモジュール12は、標準方式のフォーマットで測定プロセスの結果（この場合はBERおよびBERの変化（CBER104a、104b））をハンドオーバ制御Ｃ′に戻す。処理モジュール11は、図12の構造のように、測定プロセスを連続的に実行し、それはそうでなれば外部インターフェイスモジュール12によって受取られるブランク測定要求109に関するプリミティブ110の受取りにより命令されるまで行なわれる。その後、処理モジュール11は、モジュールの測定収集プロセスを終了するようにモジュールに命令する測定機能限定終了メッセージ312を生成するために命令および受信モジュールにより使用される終了プリミティブ311を出力する。
本発明の第３の実施例は、マルチキャスティングおよび、または結合機能を有する通信システムである。図５においてトポロジー的に示されているように、ノード22a乃至22gは、ネットワーク20にわたって分配されている。例えばネットワークノード22eに入って来た信号は、２以上の他のノード22b、22cに進むことができ（すなわち、マルチキャスティング）、或は逆に異なる経路で（22b、22cから）同じポイント22eに到達した２つの入って来た信号は前方への伝送のために結合されることができる。移動無線システムにおいて、空気インターフェイスは２以上の伝送リンクを形成してもよいため、移動装置（例えば22a）は２以上のベースステーション（22b、22c、22d）と同時に結合されることができる。結合および分割機能は、例えばノード22e、22g等の空気インターフェイスで行われる必要はない。
信号が２以上の経路で伝送されるように構成することによって、ネットワーク中の故障により生じる問題を克服することができる。例えば、信号が、例えばノード22bと22eとの間の単一のリンクを介して受信された場合、これは信頼できないものである可能性があり、データが正しいか否かを識別する方法がなく、またたとえそれが正しくないと分かっても、ビット流中に余分なビットを必要とするエラー補正プロトコールを使用する以外、それを補正する方法も存在しない。ノード22cと22eとの間の第２のリンクからも信号を受信することによって信号が比較されることが可能であり、それらが同じならば、データ流が劣化されていない確実性が大きい。それらが異なっている場合は、エラー補正処理はビット流のその部分の反復を要求することができる。
１つのリンクの信頼性が別のものより高いことを知ることができる場合、加重係数を導入することができる。別の可能性は、もっと多数の通路に関して生じる。例えば３つの通路に関して、ビット流の１つにおける２進デジットが他の２つのそれぞれにおける対応したデジットと異なっているならば、２つの同じ流れが正しく、第３のものは間違いであるとみなすことができる。
以下に説明する機能は、移動装置（例えば22a）が１以上のベースステーションと同時に接触している空気インターフェイスにわたるダイバーシティ、およびネットワークを横切るダイバーシティの両方を可能にし、複数の（並列の）伝送通路によって経路設定を可能にする。このようなダイバーシティの別の利点は、任意の単一のリンクを介して伝送されることを要求された信号にとって不十分な容量しかない場合に、それぞれの容量が低く、それぞれデータ流の１部分を処理するいくつかの通路を使用することができることである。
各ノードには、マルチキャスティングおよび、または結合装置が存在する。これらは、以下に説明する処理装置によって制御される。これは、マルチキャスティングが既存の装置によって可能であるように予め定められた制御ポイントでのみ利用可能な代りにネットワーク全体において利用できるため、システム内におけるさらに大きいダイバーシティを可能にする。
図７は、移動無線システムにおけるこの実施例の物理的な形態を示す。マルチキャスティング／結合機能は、３つのタイプの装置を使用して実行される。各ベースステーション22b、22c、ベース位置制御装置22e内、および中央移動体スイッチング局22gには、移動体スイッチング局22g中の処理装置24から命令を受信した時に、要求される任意の伝送リンクを設定する能力を有する結合装置およびマルチキャスティング装置21a、21b、21cが存在する。これらの装置21a、21b、21cはベースステーションの一体化した部分であるため、それらの動作モードおよび関係するデータ処理フォーマットは装置ごとに変化する。それらに対する命令は、伝送ネットワーク自身によって送られてもよく、或は専用のリンクによって処理装置24から直接送られてもよい。
各マルチキャスティング装置21a、21b、21cは、１つの論理入力チャンネルを取って、１以上の論理チャンネルに信号を実時間で分配する。マルチキャスティングを実行するために、装置は分配されるべき入力論理チャンネル、およびどの論理チャンネルに対してそれが分配されるかに関する情報を有していなければならない。結合装置はその逆の動作を実行する。それは複数の論理チャンネルを１つの論理チャンネルに結合する。この結合は、入力論理チャンネルからの信号が比較されて、伝送された結果が信号の各品質に依存する選択的結合の形態を取ってもよい。
マルチキャスティング／結合機能装置は、ネットワークの大部分においてマルチキャスティングおよび結合装置21a、21b、21cを制御することができるマルチキャスティングおよび結合アプリケーション処理装置24と同じ地点に配置される必要がない。要求されたサービスに対して十分な容量を有する経路が１つも存在しない場合には、トラフィックの異なる部分（例えば交互の時間スロット）が異なる経路で送られて、目的地で結合されることができる。
さらに、機能的な関係でシステムを示した図６を参照して図７のシステムの動作を説明する。特に、結合およびマルチキャスティング機能Ｂ′′は、結合およびマルチキャスティング装置21a乃至21cに対応し、プロセッサ機能Ａ′′はプロセス制御装置24に対応する。プロセッサ機能Ａ′′自身は、３つの部分で存在している。結合およびマルチキャスティング機能Ｂ′′との通信は、命令および受信モジュール25で行われる。これは、各マルチキャスティング装置（21a、21b、21c）からデータを受信し、処理モジュール26によって処理されることのできる単一の処理データフォーマットに全てのこのような受信されたデータを変換する。逆に、処理モジュール26からの命令は、命令および受信モジュール25によって処理され、各結合およびマルチキャスティング装置21a、21b、21cによって処理されることができるフォーマットに変換される。
命令および受信モジュール25は、それが通信する結合およびマルチキャスティング機能Ｂ′′にしたがって動作する機能である。モジュール25の分離した素子は、各マルチキャスティング装置21a、21b、21cに特有のフォーマットを処理する。これらの素子は、動作シーケンス中の時間スロットまたは個々の装置と関連したアドレスを伝送するデータ流であってもよい。結合およびマルチキャスティング機能Ｂ′′からプロセッサ機能Ａ′′に送られた信号は、機能Ｂ′′に送られた命令が成功的に実行されていることの確認、またはある原因のために命令が失敗したことを示すエラーメッセージを含む。このようなメッセージは、機能Ｂ′′に対応した装置21a、21b、21cが使用されている全ての接続を有し、他の接続が形成されることができないことを示すものである。関連したアプリケーションＣ′′はプロセス制御装置Ａ′′に命令を送り、新しい通路の付加、または例えば呼が終了したため或はハンドオーバが行われたために不要になった通路の解除を要求する。プロセス制御装置Ａ′′は、適切な結合／マルチキャスティング機能Ｂ′′を介してこの動作を実行して、アプリケーションＣ′′に応答を戻し、要求が成功的に実行されたことを示す。エラーメッセージは、これ以外の場合に送られる。
アプリケーションＣ′′と外部インターフェイスモジュール28との間で送られる命令および応答は、関与している伝送リンク（およびしたがって結合およびマルチキャスティング装置Ｂ′′）がいずれであるかにかかわらず同じである。処理装置Ａ′′は、要求されるデータフォーマットの任意の変換を行なう。これは、アプリケーションＣ′′が設定または取除かれるべき伝送リンクの識別子以外全ての点で同じである処理制御装置Ａ′′に信号を送ることができることを意味する。伝送リンクを設定するためにそのリンクの各端部のノードで機能を使用することが必要なことに留意すべきである。したがって、処理装置Ａ′′は通常要求されるノード21a、21b、21cに対応した２つの結合およびマルチキャスティング機能Ｂ′′に命令を送ることによってアプリケーションプラットフォームＣ′′からの任意の命令に応答する。これらの機能の選択は、処理装置Ａ′′において、またはアプリケーションＣ′′によって実行されることができる。
処理装置Ａ′′の機能は、異なる経路で到達した信号が適切に同期されるために適切なタイミング遅延の決定を含んでいてもよい。伝送リンクは異なる長さのものである可能性があるため、特にリンクが２つの各経路上の異なる個数のノードを通過する必要のあるリンクであり、それぞれ遅延をコード化する必要があるものである場合、特別な装置がこれを行なうために形成されなければ、２つの信号は同期して到達する見込みはない。
アプリケーションＣ′′は、ネットワークの容量の利用状態を最大にするためにシステムに対する要求の変化に応答して結合およびマルチキャスティング装置Ｂ′′において配置されたリンクに対する変化を必要とする。
移動無線システムにおいて、移動装置をサポートするために必要とされる伝送リンクの個数は、移動装置の動きに応答して信号品質が変わるにしたがって変化する。
結果的に、移動度アプリケーション機能Ｃ′′は、通常は既存のインターフェイスリンクの品質の低下の検出に応答して伝送通路数を変えるようにプロセス制御装置Ａ′′に命令する。したがって、移動度アプリケーションプラットフォームＣ′′は、第１のリンクによる信号の品質があるレベルより下った場合、リンクの信頼性を改良するために別の経路を取る第２の伝送リンクを付加するようにプロセス制御装置Ａ′′に命令する。しかしながら、通路をマルチキャスティングし、結合する機会は、システム上のトラフィック量が少ない時に明らかに大きい。したがって、トラフィックレベルが増加した場合、移動度マルチキャスティング機能Ｃ′′は、増加したトラフィックがシステムを使用することを可能にするために特定の呼により使用される通路の数を減少することが必要である。これは、既存の呼に対してリンクの品質が低下する可能性があることを意味するが、これはピーク時に要求されるトラフィックを全て処理するために必要である。反対に、トラフィック量が減少した場合、もっと多くの伝送リンクが自由になって、残っている呼のためにダイバーシティを高めるように再度割当てられることができる。
マルチキャスティングおよび結合は、その機能は相補的であるが、同じ場所にあるとは限らない１以上の装置において別々の機能として存在する。データが両方向に進行している呼に対して、明らかに共通のネットワーク端末を有する必要があるが、２つの方向のデータ流は全く異なった組合せの伝送装置を介して伝送することができるため、上流および下流の通路または複数の通路は一致せず、例えば図５においてノード22a、22b、22e、22gを介する上方への通路と、ノード22g、22f、22d、22aを介する下方への通路が可能である。しかしながら、さらに典型的な場合では上流方向のマルチキャスティング装置が下流方向にある結合装置とトポロジー的に一致し、その逆の場合もそうである。
図８および９に示されている第４の実施例は、ブリッジ設定機能を有する通信システムを提供する。図９は、移動無線ネットワークにおけるこの実施例の物理的な形態である構造を示す。ネットワークの選択されたスイッチングノード32aおよびベースステーション37a、37bには、リンクが伝送装置の間に設定されることを可能にするブリッジ設定装置31a、31b、31cが存在している。この実施例によると、インテリジェンスおよびそれが制御する機能が物理的に分離するように構成することによって、制御インテリジェンスが存在しないネットワーク中のポイントでブリッジ設定を行なうことができる。
図８は、この実施例の種々の素子間の機能的な関係を示す。
この図において、２つのアプリケーションＣ′′′はブリッジ設定機能を利用する。これらの両アプリケーションはブリッジリンクを設定するように命令をプロセッサ装置Ａ′′′に送り、このプロセッサ装置Ａ′′′がその命令を処理して、適切なブリッジ設定機能Ｂ′′′にそれらを送る。プロセッサ装置Ａ′′′は３個のモジュール、すなわち、アプリケーションＣ′′′から入って来た信号を処理し、必要ならばそれらを共通のフォーマットに変換する外部インターフェイス33と、適切なブリッジ設定装置に信号を割当てる処理モジュール35と、処理された信号をフォーマット化してブリッジ設定装置に伝送する命令および受信モジュール36とを含んでいる。
ブリッジ設定制御機能の使用を必要とするアプリケーションＣ′′′は、処理装置Ａ′′′の外部インターフェイス33と通信することができる。このようなアプリケーションはハンドオーバまたは会議ブリッジ設定を含んでいてもよい。これら２つのアプリケーションは、それらが動作する方法において全く異なっている。
ハンドオーバは、移動装置とそれに最も近いベースステーションとの間で測定された信号品質の変化の結果として自動的に発生する。１つのベースステーションからの品質が低下し、次のベースステーションで向上すると、ハンドオーバアプリケーションプラットフォームによって、第１のベースステーションから第２のものに対して移動装置通信のハンドオーバが行われるという決定が下される。これに対する準備の時に、既存のベースステーション・ネットワークリンクと新しいベースステーション・ネットワークリンクとの間に“ブリッジ”が設定される。したがって、ハンドオーバする決定がなされた時、新しいリンクの設定時に遅延は生じない。この実施例では、ハンドオーバはディスクリートな事象として扱われる。これは簡単な場合であり、前の実施例において説明されたようなダイバーシティは使用されていないと仮定している。しかしながら、前の実施例のダイバーシティはこのブリッジ設定の実施例と結合されて“ソフトハンドオーバ”を行なうことが可能であり、この“ソフトハンドオーバ”において信号は２以上のベースステーションで同時に受信されるが、各信号の品質に応じて異なる加重が信号に与えられる。
機能Ｂ′′′は、異なるネットワーク素子の一部分として動作することが可能であり、したがってそれらの動作命令用の異なるフォーマットを有していなければならない。信号は、個々の機能装置Ｂ′′′に送られ、形成されるべき接続についてそれらに命令を与える。ブリッジ設定機能Ｂ′′′は処理装置Ａ′′′に情報を送り返して、命令が実行されているか、或は失敗したかを確認する。これらの信号は、処理装置Ａ′′′の命令および受信モジュール36内で標準方式のフォーマットに変換される。処理装置Ａ′′′の外部インターフェイス33は、例えばハンドオーバアプリケーションおよび会議ブリッジ設定アプリケーション等の２以上のアプリケーションＣ′′′と通信することができる。これらは、それら自身のデータフォーマットをそれぞれ有している。これらのフォーマットのデータは、インターフェイスモジュール33によって共通した処理用フォーマットに変換される。処理装置34内の処理モジュール35は、アプリケーションＣ′′′の１つから出されたブリッジを設定する命令をブリッド機能Ｂ′′′に伝送されるべき命令に変換する。このプロセスは、物理的な素子31a、31b、31cのいずれが個々のブリッジを設定するために使用されるかの選択を含んでいる。処理装置Ａ′′′はまたブリッジにおいて要求される帯域幅を特定する命令を送り、何等かの理由でブリッジが要求された時に設定されることができない場合、ブリッジ設定機能Ｂ′′′から情報を受取る。
図９は、移動体スイッチング局40に配置されたブリッジ設定プロセス制御装置34と、ネットワークにおける低い機能レベルの任意の点、例えばベース位置制御装置32またはベースステーション37に存在してもよいブリッジ設定装置31a、31b、31cとを有する移動無線ネットワークを示す。ハンドオーバに対して、ベース位置制御装置32におけるブリッジ設定装置31aの使用は、移動体が２つのベースステーション37a、37bに同時に接続されることを可能にし、ハンドオーバを容易にする。これは、ハンドオーバ中に損なわれるデータがないことを確実にする。ブリッジがベース位置制御装置32において設定されると、ブリッジが適切な位置であり、データが新しいベースステーション37bを通って移動装置から受取られていることが共に確認され、第１のベースステーション37aが解除されることができる。このようなブリッジ設定機能が利用できない場合、第１のベースステーション37aは、新しいベースステーション37bが移動装置に効果的にリンクされることが確実になる前に、解除されてしまう。
簡単な会議ブリッジ設定機能とマルチキャスティングとの間の相違は、マルチキャスティングにおいて全ての通路が最終的に同じ目的地に到達して、信号が結合され、一方会議ブリッジ設定では通路は全て異なる場所で終端し、信号が各場所にそのまま全部伝送されることである。しかしながら、２つの機能は結合されてもよく、各ブリッジ設定された通路自身が分割され、結合される。さらに、マルチキャスティングおよびブリッジ設定の両者は、“ソフトハンドオーバ”を行なう時に使用されてもよい。ブリッジ設定機能に対して、ハンドオーバ中に異なるベースステーションから認められる移動装置は２つの別々の端末と考えられるが、マルチキャスティング機能に関してはそれは結合してマルチキャスティングするノードである。
説明された実施例の全てにおいて、例えばネットワークのスイッチング測定の制御およびその他の要求される機能等の基本機能は、その機能が要求される位置に組込まれている。これらの機能の動作パラメータはその位置にある装置と適合するが、この理由のために別の機能のパラメータと異なっている。すなわち、ネットワーク中の異なる位置で制御された装置自身が異なるため、制御機能が異なっている。同様にして、例えばハンドオーバ、ブリッジ設定、マクロダイバーシティ等の動作を制御するサービスまたはサービス素子等のアプリケーションは、相互にまたは基本的なネットワーク機能と必ずしも完全に適合するものではない。それらはまたネットワーク中の異なる位置に配置されてもよい。プロセス制御機能は、基本的なネットワーク機能ができるだけ簡単であることを可能にするために必要なインターフェイスを提供する（決定の実行は、ネットワーク中の他の箇所に転送されている）。処理制御装置は、基本ネットワーク機能から受取られた信号データのフォーマットを処理モジュール自身によって処理されることのできる共通のフォーマットに変換するためにインターフェイスモジュールを含む。処理モジュールは、アプリケーションからの命令を解読して、どの命令が基本ネットワーク機能に送られる必要があるかを決定する。
以下、図15乃至20を参照して本発明の動作を説明する。図15、16および17は、簡単なダイバーシティ制御システムにおいて行われることができる３つの可能な切換えを示す。
図18、19および20は、図15、16および17のシステムを制御するために図６および７のシステム内において行われたデータの流れを示したフローチャートである。このシステムにおいて、ブリッジ設定機能は、マルチキャスティングおよび結合機能に必要とされる余分な接続を行なうために使用される。
図15、16および17のそれぞれにおいて、左側は最初の状態を、また右側は最終的な所望される状態を示す。
図15において、ポイントＡとＢとの間の接続（脚Id1,脚Id2）が解除され、これらのポイント間に単一の接続（脚IId3,脚IId4）を残す。反対に図16において、第２の接続脚Id3,脚Id4が既存の接続（脚IId1,脚IId2）に付加される。
図17において、第２の接続、脚Id1が同じ２つのノードB,Cの間で既存の伝送リンク脚Id2に並列に付加され、このようにして既存のグループにリンクを付加する。
６つのメッセージフォーマットが外部アプリケーションＣ′′に対して利用可能である。
これらのメッセージは、結合およびマルチキャスティングが発生できるようにするために伝送リンクの間に“ブリッジ”を設定する。したがって、この実施例では結合およびマルチキャスティング装置21a、21b、21cはブリッジ設定機能を有する。ブリッジは、２以上のノードが接続された場合に必要とされる。２つのノード間の簡単なポイント・ポイントリンクは１個の伝送リンクだけしか使用せず、ブリッジ設定機能を必要としない。６つのメッセージフォーマットとは、
（１）“設定GRP要求”
このメッセージは、新しいブリッジ設定グループを形成するように処理モジュール26に命令する。このメッセージは、ブリッジ設定グループを形成する構成脚を特定するパラメータを有し、入来脚および出て行く脚を特定する。それはまた実行されるブリッジ設定のタイプ（すなわち、選択的に結合する活動的な通路等）を識別する。
（２）“設定GRP応答”
このメッセージは、ブリッジ設定グループおよびブリッジ設定グループの状態（すなわち、活動的）を識別するグループID（GRP Id）を戻す。
（３）“脚付加要求”
このメッセージは、既存のブリッジ設定グループに対する付加的な脚の付加を制御するように処理モジュール26に命令する。このメッセージは、ブリッジ設定グループに付加されるべき脚（脚Id）と、識別された脚が接続されるべき２つの脚とを示すパラメータ、およびグループの識別子（GRP Id）を有する。（処理モジュール26は、ブリッジ設定を要求する脚をそれ自身の知識およびこの情報から計算する。）
（４）“脚付加応答”
この応答は、手順が成功したか否かを示す状態パラメータである。
（５）“脚削除要求”
このメッセージは、GRP Idによって識別されるブリッジ設定グループから脚Idによって識別される脚の削除を制御するように処理モジュール26に命令する。結果的にグループが存在しなくなった場合、グループが削除される。
（６）“脚削除応答”
この応答は、動作が成功したか否か、およびブリッジ設定グループが依然として存在しているか否かを示す。
図18は、ブリッジ設定グループから脚を削除するための図６および７の実施例の動作を示す。図15に示されているように、制御アプリケーションは、ポイントＡとＢとの間の２つのリンクの一方の除去を要求する。
この場合ハンドオーバ制御アプリケーションである制御アプリケーションＣ′′は、ブリッジ設定グループGRP Id（21a,21b）からの脚Id1の削除のメッセージ401を送る。処理装置26は、それがどの手順を実行しなければならないかについて外部インターフェイスモジュール28からのプリミティブ402によって通知され、この場合それはブリッジ設定グループからの脚の削除である。処理モジュール26は、各メッセージ403a、404a、403b、404bによって各遠隔地ブリッジ設定装置21a,21cとコンタクトして、遠隔地ブリッジ設定装置から関連した脚を削除することによって脚を削除する。この例では脚Id1である１つの活動的な脚が通路から削除された場合、処理モジュール26中のアルゴリズムはまたこの例では脚Id2である使用されなくなった全ての関連した脚を削除する（図15を参照されたい）。処理モジュール26が遠隔地ブリッジ機能21a,21cによって制御されるブリッジから脚を削除することを要求した場合、それは削除されるべき脚Idおよびそのノードにおけるブリッジを特有に識別する局部的識別子についての情報を含むRELプリミティブ403aを命令および受信モジュール25に伝送する。その後、命令および受信モジュール25は、遠隔地ブリッジ設定機能によって認識されるフォーマットで解除要求メッセージ404aを送る。この場合、フォーマットは、ブリッジ設定機能がブリッジから脚を単に削除すると仮定した点において比較的簡単であり、ブリッジが１つの入って来る脚および１つの出て行く脚だけを有する（すなわち、１つの伝送リンクしか残っていないため、ブリッジはもはや必要ない）場合、ブリッジは削除される。応答メッセージ405aは、ブリッジ設定機能が依然として活動的であるか否かを示す。このメッセージが命令および受信モジュール25によって受取られた時、モジュールは状態を伝送するRESプリミティブ406aを処理モジュール26に与える。その後、処理モジュール26は、メッセージ403b、404b、405b、406bを使用して別のブリッジ設定機能（この例では結合装置21c）によって制御されたブリッジから任意の他の脚を連続的に削除する。処理モジュール26がブリッジから脚を削除することを終了した時、それは外部インターフェイスモジュール28にDELR ESPプリミティブ407を戻して、どの脚（脚Id1,脚Id2）が削除されるか、およびブリッジ設定グループの全体的な状態（状態パラメータ）を示す。外部インターフェイスモジュールは、DELR ESPプリミティブに含まれたパラメータを含む脚削除応答408を発生する。
図19は、新しいブリッジ設定グループを生成するための図６および７の実施例の動作を示す。この場合ハンドオーバ制御アプリケーションＣ′′である制御アプリケーションは、識別された脚（脚Id入力，脚Id1,脚Id2,脚Id3,脚Id4,脚Id出力）から構成されたポイントＡとＢとの間におけるブリッジ設定グループの設定（図16）を要求する。これは、要求メッセージ501で伝送される。
処理モジュール26は、それがどの手順を実行しなければならないかについて通知され、この場合は外部インターフェイスモジュール28からのプリミティブ502によって脚の収集からのブリッジ設定グループの生成が通知される。処理モジュール26は、処理モジュール26が生成するためのブリッジ設定要求を計算するノードでブリッジ設定機能21a,21b,21cによって制御されるブリッジの生成を進行させる。処理モジュール26が脚のグループから遠隔地ブリッジ機能21a,21b,21cを使用してブリッジを設定することを要求した場合、それはノードに遠隔地ブリッジを形成するために必要とされる脚Idについての情報を含む付加プリミティブ503を命令および受信モジュール25に出力する。その後、命令および受信モジュール25は、遠隔地ブリッジ機能21aによって認識されるフォーマットで設定要求メッセージ504を送る。この場合、フォーマットは再びブリッジ設定機能21bがブリッジを単に生成すると仮定しているので比較的簡単である。フォーマットは、ブリッジを形成する脚および要求されるブリッジのタイプを特定する。応答メッセージ505aは、ブリッジ設定機能21bが活動的であるか、或は動作が失敗したのかを示す。状態を伝送する処理モジュール26によってこのメッセージが受信された時、処理モジュール26は要求されるその他のブリッジを連続して形成する（この例では、ブリッジ設定機能21b）。処理モジュール26がブリッジの生成を終了した時、それはGRP設定応答プリミティブ507を戻してGRP Idを存続させ、ブリッジ設定グループの簡単な識別を可能にし、メッセージ508の全体的な状態（状態パラメータ）はGRP設定応答プリミティブ507に存在するパラメータを含んでいる。
図20は、図６および７の実施例を使用した既存のブリッジ設定グループに対する脚の付加を示す。この場合ハンドオーバ制御アプリケーションである制御アプリケーションは、１以上の脚Idの付加を要求する要求601を既存のブリッジ設定グループGRP Idに送る（図17を参照されたい）。処理モジュール26は、それがどの手順を実行すべきかについて通知され、この場合は外部インターフェイスモジュールからのプリミティブ602による既存のブリッジ設定グループに対する脚の付加を通知される。その後、処理モジュール26は、各遠隔地ブリッジ設定装置に順次コンタクトし、新しいブリッジを形成する時に遠隔地ブリッジ設定装置に関連した脚を付加することによって脚を続けて付加する。処理モジュール26が遠隔地ブリッジ機能21bによって制御されたブリッジに脚を付加するように要求された時、それは付加されるべき脚Idおよびそのノードにおけるブリッジを特有に識別する局部識別子についての情報を含む付加プリミティブ603aを命令および受信モジュール25に対して発生する。命令および受信モジュール25は、遠隔地ブリッジ設定機能21bによって認識されるフォーマットで付加要求メッセージ604aを送る。この場合、フォーマットは再び、ブリッジ設定機能21bがブリッジに単に脚を付加すると仮定し、したがって脚Idおよび局部ブリッジ基準だけを必要とするので比較的簡単である。応答メッセージ605aは、ブリッジの状態（すなわち、活動的または非活動的）を示す。命令および受信モジュール25がこのメッセージを受取った時、モジュール25は状態を伝送するアドレスプリミティブ606aを処理モジュール26に与える。その後、処理モジュールは連続的に、別のブリッジ設定機能21bによって制御されるブリッジに新しい脚を付加するか、或は新しいブリッジを設定する（この例では、設定要求604bがブリッジ設定機能21aに送られる）（メッセージ603b、604b、605b、606b）。処理機能がブリッジへの脚の付加、または新しいブリッジの生成を終了した時、それは外部インターフェイスモジュール28にプリミティブ607を戻して、付加動作の全体的な状態を示す。外部インターフェイスモジュール28は、プリミティブ607に含まれたパラメータを含む脚付加応答608を発生する。
上記の実施例は、トラフィック伝送リンクがこの実施例を動作するために必要な制御信号を伝送するセル通信ネットワークを示している。本発明は、制御および監視機能がシステム全体に分配されたポイントで要求される任意の通信システムに適用されてもよい。本発明が適用されるシステムが利用可能な他の適切なリンクを有していない場合、専用の信号リンクが使用されてもよい。
【図１】
0003616097.tif 000002
【図２】
0003616097.tif 000003
【図３】
0003616097.tif 000004
【図４】
0003616097.tif 000005
【図５】
0003616097.tif 000006
【図７】
0003616097.tif 000007
【図６】
0003616097.tif 000008
【図９】
0003616097.tif 000009
【図８】
0003616097.tif 000010
【図１０】
0003616097.tif 000011
【図１１】
0003616097.tif 000012
【図１６】
0003616097.tif 000013
【図１２】
0003616097.tif 000014
【図１３】
0003616097.tif 000015
【図１４】
0003616097.tif 000016
【図１５】
0003616097.tif 000017
【図１７】
0003616097.tif 000018
【図１８】
0003616097.tif 000019
【図１９】
0003616097.tif 000020
【図２０】
0003616097.tif 000021